(57)【要約】【課題】コンテンツの個々の競技又はコーナーについて、詳細な情報を取得することができる技術を提供する。【解決手段】受信装置（３）は、コンテンツの映像データと、メタデータとを含むデータストリームを受信する受信部（９）と、上記メタデータから上記コンテンツの詳細イベント情報を抽出する抽出部（１０）と、上記抽出部が抽出した詳細イベント情報を参照して、ユーザへの提示用画像を生成する画像生成部（１２）と、を備えている。【選択図】図１
2018129704.tif 000002
【特許請求の範囲】
【請求項１】
コンテンツの映像データと、メタデータとを含むデータストリームを生成する生成部と、
上記生成部が生成したデータストリームを送出する送出部と、
を備えた送出装置であって、
上記生成部は、上記メタデータに、上記コンテンツの詳細イベント情報を含ませることを特徴とする、送出装置。
【請求項２】
上記生成部は、上記メタデータにおけるEvent Message Tableに、上記コンテンツの詳細イベント情報を含ませることを特徴とする、請求項１に記載の送出装置。
【請求項３】
上記詳細イベント情報には、上記コンテンツのサービスＩＤ、イベントＩＤ，サブイベントＩＤ、詳細イベント名、開始時刻、終了時刻、及び放送時間の長さの少なくとも何れかの情報が含まれていることを特徴とする、請求項１又は２に記載の送出装置。
【請求項４】
コンテンツの映像データと、メタデータとを含むデータストリームを受信する受信部と、
上記メタデータから上記コンテンツの詳細イベント情報を抽出する抽出部と、
上記抽出部が抽出した詳細イベント情報を参照して、ユーザへの提示用画像を生成する画像生成部と、
を備えていることを特徴とする、受信装置。
【請求項５】
上記抽出部は、上記メタデータにおけるEvent Message Tableから、上記コンテンツの詳細イベント情報を抽出することを特徴とする、請求項４に記載の受信装置。
【請求項６】
上記詳細イベント情報には、上記コンテンツのサービスＩＤ、イベントＩＤ、サブイベントＩＤ、詳細イベント名、開始時刻、終了時刻、及び放送時間の長さの少なくとも何れかの情報が含まれていることを特徴とする、請求項４又は５に記載の受信装置。
【請求項７】
請求項４〜６の何れか１項に記載の受信装置と、上記提示用画像を表示する表示部と、を備えていることを特徴とする、テレビジョン受像機。
【請求項８】
上記表示部は、上記コンテンツの電子番組表に、上記提示用画像を重畳して表示することを特徴とする、請求項７に記載のテレビジョン受像機。
【請求項９】
コンテンツの映像データと、メタデータとを含むデータストリームを生成する生成工程と、
上記生成工程で生成したデータストリームを送出する送出工程とを含む、送出装置による送出方法であって、
上記生成工程では、上記メタデータに、上記コンテンツの詳細イベント情報を含ませることを特徴とする、送出方法。
【請求項１０】
受信装置による受信方法であって、
コンテンツの映像データと、メタデータとを含むデータストリームを受信する受信工程と、
上記メタデータから上記コンテンツの詳細イベント情報を抽出する抽出工程と、
上記抽出工程で抽出した詳細イベント情報を参照して、ユーザへの提示用画像を生成する画像生成工程と、
を含むことを特徴とする、受信方法。
【請求項１１】
コンテンツの映像データ、及びメタデータを含むデータストリームを生成する生成部、並びに上記生成部が生成したデータストリームを送出する送出部、を備えた送出装置と、上記送出装置が送出した上記データストリームを受信する受信部を備えた受信装置と、を含む送受信システムであって、
上記生成部は、上記メタデータに、上記コンテンツの詳細イベント情報を含ませ、
上記受信装置は、上記メタデータから上記コンテンツの詳細イベント情報を抽出する抽出部と、上記抽出部が抽出した詳細イベント情報を参照して、ユーザへの提示用画像を生成する画像生成部とをさらに備えていることを特徴とする、送受信システム。
【請求項１２】
請求項１に記載の送出装置としてコンピュータを機能させるための制御プログラムであって、上記生成部及び上記送出部としてコンピュータを機能させるための制御プログラム。
【請求項１３】
請求項４に記載の受信装置としてコンピュータを機能させるための制御プログラムであって、上記受信部、上記抽出部及び上記画像生成部としてコンピュータを機能させるための制御プログラム。
【請求項１４】
請求項１２に記載の制御プログラムを記録したコンピュータ読み取り可能な記録媒体。
【請求項１５】
請求項１３に記載の制御プログラムを記録したコンピュータ読み取り可能な記録媒体。
【発明の詳細な説明】
【技術分野】
【０００１】
本発明は、主に、データストリームを送出する送出装置と、データストリームを受信する受信装置とに関する。
【背景技術】
【０００２】
視聴者が各チャンネル（サービス）で提供される番組（イベント）を総合的に俯瞰する仕組みの例として、電子番組表（ＥＰＧ（Electric Program Guide））が挙げられる。ＥＰＧは、放送波に重畳して伝送されるＥＩＴ（Event Information Table）を基本に構成される。
【０００３】
ＥＩＴの種類には、２種類あり、局毎の情報が含まれる各局ＥＩＴ（例えば、高度ＢＳ放送及び地上デジタル放送におけるＥＩＴ）と、全局の情報が含まれる全局ＥＩＴ（例えば、既存のＢＳ放送におけるＥＩＴ）とがある。また、ＥＩＴの更新は、基本的に、１日に１回、ＡＭ０時の更新である。運用規程上、ＡＭ０時以外での更新情報の送信については、更新情報の差分情報の送信が推奨されており、頻繁な更新は推奨されていない。
【０００４】
そして、ＥＩＴでは、以下の（ａ）及び（ｂ）のような課題がある。
【０００５】
（ａ）ＥＩＴの更新時間の間隔は長いため、生放送が中心となる長時間番組における柔軟な番組編成変更に対応しづらい。
【０００６】
（ｂ）全局ＥＩＴでは、ＥＩＴを更新した場合、視聴中の番組についての情報以外の無駄な情報も取得してしまうことになる。
【０００７】
ＥＭＴ（Event Message Table）を用いれば、放送事業者独自の高い自由度のもとで、詳細なイベント情報を、よりリアルタイム性高く伝送することが可能となる。
【０００８】
番組表を送受信する先行技術として、特許文献１には、放送信号に含まれているデータ放送用のデータ（ＢＭＬファイル）に基づいてイベントに関する情報を取得し、当該情報に基づいて、番組情報を含む画面を生成する電子機器が開示されている。
【先行技術文献】
【特許文献】
【０００９】
【特許文献１】特開２０１４−１２３２１１号公報（２０１４年７月３日公開）
【発明の概要】
【発明が解決しようとする課題】
【００１０】
しかし、オリンピックの中継又は２４時間放送の番組等の長時間放送番組（１つのevent_idの中に複数の競技又は複数のコーナーが含まれる放送）において、視聴者が、番組内の個々の競技又は個々のコーナー等について、その詳細情報（各競技の中継予定スケジュール等）を把握する場合、以下のような問題がある。
【００１１】
例えば、各局ＥＩＴでは、視聴中の局以外の他局の更新情報をリアルタイムに取得できない。また、全局ＥＩＴでは、上述の通り、ＥＩＴを更新した場合、視聴中の番組についての情報以外の情報も取得してしまう。そのため、特定の局の特定の番組における各コーナーについての情報をリアルタイムで取得するために、ＥＩＴを頻繁に更新した場合、不要な情報も更新してしまう。
【００１２】
また、ＥＭＴでは、各局で独立したデータ（ＣＨ１のＥＭＴをＣＨ２の放送波では受信できない）であるため、各局ＥＩＴと同様に、視聴中の局以外の他局の更新情報を取得できない。
【００１３】
上記の各局ＥＩＴ、全局ＥＩＴ及びＥＭＴにおける各課題を要約すると、オリンピックの中継又は２４時間放送の番組等の長時間放送番組（１つのevent_idの中に複数の競技又は複数のコーナーが含まれる放送）において、番組内の個々の競技又は個別コーナー等について、その詳細情報（各競技の中継予定スケジュール等）を把握することは困難であった。そして、特に、視聴者が、オリンピック中継等の、複数の局でそれぞれ中継される競技のスケジュールを、総合的に俯瞰する手段は、デジタルテレビ放送システムの中で提供されていない。
【００１４】
本発明の一態様は、上記の問題点に鑑みてなされたものであり、その主たる目的は、コンテンツが複数の競技又は複数のコーナーを含んでおり、当該複数の競技又は複数のコーナーがそれぞれ複数の番組で放送されている場合でも、個々の競技又はコーナーについて、詳細な情報を取得することができる技術を提供することにある。
【課題を解決するための手段】
【００１５】
上記の課題を解決するために、本発明の一態様に係る送出装置は、コンテンツの映像データと、メタデータとを含むデータストリームを生成する生成部と、上記生成部が生成したデータストリームを送出する送出部と、を備えた送出装置であって、上記生成部は、上記メタデータに、上記コンテンツの詳細イベント情報を含ませる。
【００１６】
上記の課題を解決するために、本発明の一態様に係る受信装置は、コンテンツの映像データと、メタデータとを含むデータストリームを受信する受信部と、上記メタデータから上記コンテンツの詳細イベント情報を抽出する抽出部と、上記抽出部が抽出した詳細イベント情報を参照して、ユーザへの提示用画像を生成する画像生成部と、を備えている。
【００１７】
上記の課題を解決するために、本発明の一態様に係る送出方法は、コンテンツの映像データと、メタデータとを含むデータストリームを生成する生成工程と、上記生成工程で生成したデータストリームを送出する送出工程とを含む、送出装置による送出方法であって、上記生成工程では、上記メタデータに、上記コンテンツの詳細イベント情報を含ませる。
【００１８】
上記の課題を解決するために、本発明の一態様に係る受信方法は、受信装置による受信方法であって、コンテンツの映像データと、メタデータとを含むデータストリームを受信する受信工程と、上記メタデータから上記コンテンツの詳細イベント情報を抽出する抽出工程と、上記抽出工程で抽出した詳細イベント情報を参照して、ユーザへの提示用画像を生成する画像生成工程と、を含む。
【００１９】
上記の課題を解決するために、本発明の一態様に係る送受信システムは、コンテンツの映像データ、及びメタデータを含むデータストリームを生成する生成部、並びに上記生成部が生成したデータストリームを送出する送出部、を備えた送出装置と、上記送出装置が送出した上記データストリームを受信する受信部を備えた受信装置と、を含む送受信システムであって、上記生成部は、上記メタデータに、上記コンテンツの詳細イベント情報を含ませ、上記受信装置は、上記メタデータから上記コンテンツの詳細イベント情報を抽出する抽出部と、上記抽出部が抽出した画像生成部とをさらに備えている。
【発明の効果】
【００２０】
本発明の一態様によれば、コンテンツが複数の競技又は複数のコーナーを含んでおり、当該複数の競技又は複数のコーナーがそれぞれ複数の番組で放送されている場合でも、個々の競技又はコーナーについて、詳細な情報を取得することができる。
【図面の簡単な説明】
【００２１】
【図１】本発明の実施形態１に係る受信装置を備えているテレビジョン受像機の構成を示すブロック図である。
【図２】本発明の実施形態１に係る受信装置を備えているテレビジョン受像機の外観を示す正面図である。
【図３】本発明の実施形態１に係る受信装置による受信方法を説明するフローチャートである。
【図４】本発明の実施形態１に係る受信装置による受信方法の別の例を説明するフローチャートである。
【図５】（ａ）は、ＥＭＴのデータ構造の例を示す図である。（ｂ）は、（ａ）のＥＭＴのデータ構造に含まれるＥｖｅｎｔ＿Ｍｅｓｓａｇｅ＿Ｄｅｓｃｒｉｐｔｏｒの例を示す図である。
【図６】図５の（ｂ）のＥｖｅｎｔ＿Ｍｅｓｓａｇｅ＿Ｄｅｓｃｒｉｐｔｏｒに含まれるｐｒｉｖａｔｅ＿ｄａｔａ＿ｂｙｔｅの例を示す図である。
【図７】（ａ）は、本発明の実施形態１に係るテレビジョン受像機による表示方法を説明するための図である。（ｂ）は、視聴者がリモコンのボタンを押した後の、（ａ）のテレビジョン受像機を示す図である。
【図８】（ａ）は、本発明の実施形態１に係るテレビジョン受像機による表示方法の別の例を説明するための図である。（ｂ）は、視聴者がリモコンのボタンを押した後の、（ａ）のテレビジョン受像機を示す図である。
【図９】本発明の実施形態２に係る受信装置を備えているテレビジョン受像機の構成を示すブロック図である。
【図１０】本発明の実施形態２に係る受信装置による受信方法を説明するフローチャートである。
【図１１】本発明の実施形態２に係るテレビジョン受像機による表示方法を説明するための図である。
【図１２】本発明の実施形態３に係る送受信システムの構成を示すブロック図である。
【図１３】本発明の実施形態３に係る送受信システムが含む送出装置による送出方法を説明するフローチャートである。
【発明を実施するための形態】
【００２２】
以下、本発明の実施の形態について、詳細に説明する。
【００２３】
〔実施形態１〕
（テレビジョン受像機１）
本実施形態に係る受信装置３を備えているテレビジョン受像機１について、図面を参照して説明する。図１は、テレビジョン受像機１の構成を示すブロック図である。また、図２は、テレビジョン受像機１の外観を示す正面図である。図１が示すように、テレビジョン受像機１は、アンテナ２、受信装置３、映像／音声デコード部４、映像信号／ＯＳＤ合成部５、音声信号合成部６、映像出力部７（請求項における表示部）、及び音声出力部８を備えている。
【００２４】
アンテナ２は、外部から、コンテンツの映像データと、メタデータとを含むデータストリーム（放送波）を受信する。
【００２５】
受信装置３は、アンテナ２が受信したデータストリームを取得し、当該データストリームを参照して、映像データと、音声データと、メタデータとを分離（逆多重化）する。また、受信装置３は、当該メタデータが含むコンテンツの詳細イベント情報を抽出し、当該詳細イベント情報を参照して、ユーザへの提示用画像を生成する。なお、本明細書における詳細イベント情報とは、コンテンツの個々の競技又は個々のコーナーに関する詳細な情報を示す。当該情報の具体例は後述する。
【００２６】
映像／音声デコード部４は、受信装置３が分離した映像データ及び音声データをそれぞれ復号化する。
【００２７】
映像信号／ＯＳＤ合成部５は、映像／音声デコード部４が復号化した映像データと、受信装置３が生成した提示用画像とを合成する。
【００２８】
音声信号合成部６は、映像／音声デコード部４が復号化した音声信号に、視聴者に通知を知らせる音声信号などの、各種の音声信号を合成する。音声信号の例としては、速報チャイム、ボタン操作音、及び警報音などの音声信号が挙げられる。
【００２９】
映像出力部７は、映像信号／ＯＳＤ合成部５が合成した合成画像（静止画像及び動画像を含む）を表示する。映像出力部７の例として、液晶ディスプレイ、有機ＥＬ（Electro Luminescence）ディスプレイ（ＯＬＥＤ）、プラズマディスプレイ、及びプロジェクター等が挙げられる。
【００３０】
音声出力部８は、音声信号合成部６が合成した合成音声を出力する。音声出力部の例として、スピーカー等が挙げられる。
【００３１】
（受信装置３）
以下で、受信装置３について詳細に説明する。受信装置３は、チューナ９（請求項における受信部）、映像／音声／データ放送分離部１０（請求項における抽出部）、操作受付部１１、放送関連情報処理部１２（請求項における画像生成部）、及び記録部１３を備えている。
【００３２】
チューナ９は、アンテナ２が受信した放送信号（データストリーム）を復調処理する。
【００３３】
映像／音声／データ放送分離部１０は、チューナ９が復調処理したデータストリームを、映像データと、音声データと、メタデータ（ＳＩ（Service Information））とに分離（逆多重化）し、分離したメタデータからコンテンツの詳細イベント情報を抽出する。
【００３４】
操作受付部１１は、ユーザによるリモコン１４のボタン操作を受け付ける。
【００３５】
放送関連情報処理部１２は、映像／音声／データ放送分離部１０が抽出したコンテンツの詳細イベント情報を参照して、ユーザへの提示用画像を生成する。
【００３６】
記録部１３は、映像／音声／データ放送分離部１０が抽出したコンテンツの詳細イベント情報、又は、放送関連情報処理部１２が生成した提示用画像を一時的に記録する。記録部１３の例として、揮発性メモリ等が挙げられる。
【００３７】
（受信装置３による受信方法）
本実施形態に係る受信装置３により実行される受信方法の流れを、図３を参照して説明する。図３は、受信方法の流れを示すフローチャートである。
【００３８】
まず、アンテナ２は、外部から、コンテンツの映像データと、メタデータとを含むデータストリーム（放送信号）を受信し、チューナ９は、アンテナ２が受信したデータストリームを復調処理する（ステップＳ０）。
【００３９】
次に、映像／音声／データ放送分離部１０は、チューナ９が復調処理したデータストリームを、映像データと、音声データと、メタデータとに分離し、分離したメタデータからコンテンツの詳細イベント情報を抽出する（ステップＳ１）。
【００４０】
なお、上記のコンテンツは、例えば、複数の競技又は複数のコーナーを含んでおり、当該複数の競技又は複数のコーナーがそれぞれ複数の番組で放送されているコンテンツであり得る。当該コンテンツの例として、オリンピックの中継又は２４時間放送の番組等の長時間放送番組等が挙げられる。
【００４１】
また、上記の詳細イベント情報は、コンテンツの個々の競技又は個々のコーナーについての詳細な番組情報、又は、当該番組情報の更新後の差分情報であり得る。詳細イベント情報の例として、上記コンテンツのサービスＩＤ、イベントＩＤ、サブイベントＩＤ、詳細イベント名、開始時刻、終了時刻、及び放送時間の長さ等が挙げられる。
【００４２】
ステップＳ１の次の工程として、記録部１３は、映像／音声／データ放送分離部１０が抽出したコンテンツの詳細イベント情報を一時的に記録する（ステップＳ２）。
【００４３】
次に、放送関連情報処理部１２は、映像／音声／データ放送分離部１０がコンテンツの詳細イベント情報を抽出したこと等の事象をトリガーとして、ユーザに当該事象を知らせる「お知らせ」を表示するように、映像信号／ＯＳＤ合成部５、及び映像出力部７に指示する（ステップＳ３）。
【００４４】
次に、放送関連情報処理部１２は、ユーザがリモコン１４のボタンを押したことに伴う信号を操作受付部１１が受け付けたか否かを判定する（ステップＳ４）。放送関連情報処理部１２が、操作受付部１１が当該信号を受け付けたと判定した場合（ステップ４のＹＥＳ）、ステップＳ７に進む。放送関連情報処理部１２が、操作受付部が当該信号を受け付けなかったと判定した場合（ステップＳ４のＮＯ）、ステップＳ５に進む。
【００４５】
ステップＳ５において、放送関連情報処理部１２は、映像出力部７が「お知らせ」を表示したときから所定時間が経過したか否かを判定する。放送関連情報処理部１２は、所定時間が経過したと判定した場合、「お知らせ」の表示を中止するように、映像信号／ＯＳＤ合成部５、及び映像出力部７に指示する（ステップＳ６）。
【００４６】
ステップＳ７において、放送関連情報処理部１２は、記録部１３が一時的に記録したコンテンツの詳細イベント情報を読み込み、当該情報から、ユーザへの提示用画像を生成する（ステップＳ７）。なお、ここにおけるユーザへの提示用画像の例として、ＥＭＴ番組表等が挙げられる。また、ステップＳ７において、放送関連情報処理部１２は、記録部１３が一時的に記録したコンテンツの詳細イベント情報を読み込まずに、直接、映像／音声／データ放送分離部１０が抽出したコンテンツの詳細イベント情報を取得してもよい。
【００４７】
次に、放送関連情報処理部１２は、生成した提示用画像（ＥＭＴ番組表）を表示するように、映像信号／ＯＳＤ合成部５、及び映像出力部７に指示する（ステップＳ８）。
【００４８】
（受信装置３による受信方法の別の態様）
上記の受信装置３による受信方法では、ある事象をトリガーとして、「お知らせ」を表示することにより、ユーザによるリモコン１４のボタン操作を誘導したが、「お知らせ」が表示されていない状態で、ユーザがリモコン１４のボタン操作を実行してもよい。そのような例を以下で図４を参照して説明する。図４は、受信装置３による受信方法の別の態様を説明するフローチャートである。
【００４９】
まず、操作受付部１１は、ユーザがリモコン１４のボタンを押したことに伴う信号を受け付ける（ステップＳ１０）。
【００５０】
次に、放送関連情報処理部１２は、記録部１３にＥＭＴのデータが記録されているか否かを判定する（ステップＳ１１）。放送関連情報処理部１２が、記録部１３にＥＭＴのデータが一時的に記録されていると判定した場合（ステップＳ１１のＹＥＳ）、ステップＳ１２に進む。放送関連情報処理部１２が、記録部１３にＥＭＴのデータが一時的に記録されていないと判定した場合（ステップＳ１１のＮＯ）、処理を終了する。
【００５１】
ステップＳ１２において、放送関連情報処理部１２は、記録部１３に一時的に記録されているＥＭＴのデータからコンテンツの詳細イベント情報を読み込み、当該情報から、ＥＭＴ番組表を生成する。
【００５２】
次に、放送関連情報処理部１２は、生成したＥＭＴ番組表を表示するように、映像信号／ＯＳＤ合成部５、及び映像出力部７に指示する（ステップＳ１３）。
【００５３】
（実施形態１の具体例）
以下で、受信装置３による受信方法の具体例を、図５〜８を参照して説明する。図５の（ａ）は、ステップ１において、映像／音声／データ放送分離部１０が映像データ及び音声データと分離したメタデータであるEvent_Message_Table（ＥＭＴ）のデータ構造の例を示す図である（ＡＲＩＢ  ＳＴＤ  Ｂ６０  §１１、ＡＲＩＢ  ＳＴＤ  ＴＲ−Ｂ３９を参照）。
【００５４】
また、図５の（ｂ）は、図５の（ａ）が示すＥＭＴにおけるEvent_Message_Descriptor（図５の（ａ）においてdescriptor()で示される）のデータ構造の例を示す図である（ＡＲＩＢ  ＳＴＤ  Ｂ６０  §１１、ＡＲＩＢ  ＳＴＤ  ＴＲ−Ｂ３９を参照）。ステップＳ１において、映像／音声／データ放送分離部１０は、図５の（ｂ）が示すEvent_Message_Descriptorに含まれるprivate_data_byteから、コンテンツの詳細イベント情報を抽出する。
【００５５】
図６は、private_data_byteのデータ構造の例を示す図である。図６が示すprivate_data_byteが含むコンテンツの詳細イベント情報を以下で説明する。
【００５６】
<Message>のタグは、ステップＳ３において、放送関連情報処理部１２が映像信号／ＯＳＤ合成部５、及び映像出力部７に指示して表示する「お知らせ」の文章を指定する。
【００５７】
<action>のタグは、ステップＳ４において、放送関連情報処理部１２が、ユーザがリモコン１４のボタンを押したことに伴う信号を操作受付部１１が受け付けたと判定した場合の処理を指定する。
【００５８】
<SeviceID>のタグは、コンテンツのサービスＩＤを指定する。<EventID>のタグは、コンテンツのイベントＩＤを指定する。
【００５９】
<begin>のタグは、コンテンツが含む個々の競技又はコーナー（詳細イベント）の開始時間を示す詳細イベント開始時間を指定する。<end>のタグは、コンテンツが含む個々の競技又はコーナーの終了時間を示す詳細イベント終了時間を指定する。
【００６０】
ステップＳ３において、放送関連情報処理部１２は、<begin>又は<end>のタグを参照して、その開始時間又は終了時間に現在時刻が近づいたことをトリガーとして、「お知らせ」を表示するように、映像信号／ＯＳＤ合成部５、及び映像出力部７に指示する。
【００６１】
<duration>のタグは、コンテンツが含む個々の競技又はコーナーの放送時間を示す詳細イベント放送時間を指定する。<title>は、コンテンツが含む個々の競技又はコーナーのイベント名を示す詳細イベント名を指定する。
【００６２】
<SubID>のタグは、コンテンツが含む個々の競技又はコーナーのＩＤを指定する。<SubID>のタグを設けることにより、コンテンツが含む個々の競技又はコーナーの放送スケジュールが変更された場合であっても、当該変更を把握しやすくなる。
【００６３】
次に、受信装置３による受信方法における映像出力部７による表示の具体例を、図７を参照して説明する。図７の（ａ）は、映像出力部７による、長時間番組（例えば、２４時間放送の番組等）での放送スケジュールの表示例を説明するための図である。図７の（ｂ）は、視聴者がリモコンのボタンを押した後の、図７の（ａ）の映像出力部７を示す図である。
【００６４】
ステップＳ３において、放送関連情報処理部１２が、２４時間放送の番組におけるマラソンの放送予定時刻が変更されたことをトリガーとして、映像信号／ＯＳＤ合成部５、及び映像出力部７に、「お知らせ」を表示するように指示する。そして、映像出力部７は、図７の（ａ）が示すように、「マラソンの放送予定時刻が変更となりました」という文章（「お知らせ」）を表示する。
【００６５】
そして、ステップＳ４において、放送関連情報処理部１２は、操作受付部１１がリモコン１４からの信号を受け付けたと判定した場合、ステップＳ７において、記録部１３に一時的に記録されたＥＭＴデータから、private_data_byteに記載された詳細イベント情報を読み込み、ＥＭＴ番組表を生成する。
【００６６】
ステップＳ８において、放送関連情報処理部１２は、映像信号／ＯＳＤ合成部５、及び映像出力部７にＥＭＴ番組表を表示するように指示し、映像出力部７は、当該ＥＭＴ番組表を表示する。図７の（ｂ）が示すように、当該ＥＭＴ番組表には、２４時間放送の番組の各コーナーが表示され、更新されたマラソンの開始時刻が反映されている。
【００６７】
次に、受信装置３による受信方法における映像出力部７による表示の別の具体例を、図８を参照して説明する。図８の（ａ）は、映像出力部７による、複数のチャンネルで放送されているイベント（例えば、オリンピック中継等）での放送スケジュールの表示例を説明するための図である。図８の（ｂ）は、視聴者がリモコンのボタンを押した後の、図８の（ａ）の映像出力部７を示す図である。
【００６８】
ステップＳ３において、放送関連情報処理部１２が、現在時刻がオリンピックにおける特定の競技の開始時刻に近づいたことをトリガーとして、映像信号／ＯＳＤ合成部５、及び映像出力部７に「お知らせ」を表示するように指示する。そして、映像出力部７は、図８の（ａ）が示すように、「間もなく１０１ｃｈで１５００ｍ予選が放送されます。」という文章（「お知らせ」）を表示する。
【００６９】
そして、ステップＳ４において、放送関連情報処理部１２は、操作受付部１１がリモコン１４からの信号を受け付けたと判定した場合、ステップＳ７において、記録部１３に一時的に記録されたＥＭＴデータから、private_data_byteに記載された詳細イベント情報を読み込み、ＥＭＴ番組表を生成する。
【００７０】
ステップＳ８において、放送関連情報処理部１２が、映像信号／ＯＳＤ合成部５、及び映像出力部７に、ＥＭＴ番組表を表示するように指示し、映像出力部７は、当該ＥＭＴ番組表を表示する。図８の（ｂ）が示すように、当該ＥＭＴ番組表には、複数のチャンネルの番組表が表示され、ユーザは、局をまたがって放送されているオリンピックの各競技を一度に把握することができる。
【００７１】
（実施形態１のまとめ）
以上のように、本実施形態に係る受信装置３は、コンテンツの映像データと、メタデータとを含むデータストリームを受信し、メタデータからコンテンツの詳細イベント情報を抽出し、抽出した詳細イベント情報を参照して、ユーザへの提示用画像を生成する。これにより、コンテンツが複数の競技又は複数のコーナーを含んでおり、当該複数の競技又は複数のコーナーがそれぞれ複数の番組で放送されている場合でも、個々の競技又はコーナーについて、詳細な情報を取得することができる。
【００７２】
また、本実施形態に係る受信装置３は、メタデータにおけるEvent Message Table（ＥＭＴ）から、コンテンツの詳細イベント情報を抽出する。これにより、放送波を介してＥＭＴを取得するため、インターネットに接続されていない受信機でも、コンテンツの個々の競技又はコーナーについて詳細な情報を取得することができる。また、ＥＰＧを表示せずに、個々の競技又はコーナーについての詳細な情報を表示することで、視聴者は、ＥＰＧ表示を経ることなく、視聴中の番組から、当該番組と関連する番組を放送している別のチャンネルに簡単に選局可能となる。
【００７３】
〔実施形態２〕
本発明の実施形態２について、図９に基づいて説明すれば、以下のとおりである。なお、説明の便宜上、実施形態１にて説明した部材と同じ機能を有する部材については、同じ符号を付記し、その説明を省略する。
【００７４】
（テレビジョン受像機２０）
本実施形態に係るテレビジョン受像機２０について、図９を参照して説明する。図９は、本実施形態に係るテレビジョン受像機２０の構成を示すブロック図である。図９が示すように、テレビジョン受像機２０は、受信装置２１のＥＩＴ取得部２２をさらに備えている以外は、実施形態１に係るテレビジョン受像機１と同様の構成を有している。
【００７５】
受信装置２１のＥＩＴ取得部２２は、放送波に重畳された、コンテンツについての情報を含むＥＩＴを取得する。また、記録部１３は、ＥＩＴ取得部２２が取得したＥＩＴを記録する。
【００７６】
（受信装置２１による受信方法）
本実施形態に係る受信装置２１により実行される受信方法の流れを、図１０を参照して説明する。図１０は、受信装置２１により実行される受信方法の流れを示すフローチャートである。なお、実施形態１において説明したステップと同様のステップについては、その説明を省略する。
【００７７】
まず、操作受付部１１は、ユーザによるリモコン１４のボタン操作を受け付ける（ステップＳ２０）。
【００７８】
次に、放送関連情報処理部１２は、操作受付部１１がユーザによるリモコン１４のボタン操作を受け付けたことをトリガーとして、記録部１３が一時的に記録したＥＩＴの番組情報を読み込む（ステップＳ２１）。
【００７９】
次に、放送関連情報処理部１２は、読み込んだＥＩＴの番組情報から、提示用画像（ＥＩＴ番組表）を生成し、当該提示用画像を表示するように、映像信号／ＯＳＤ合成部５、及び映像出力部７に指示する（ステップＳ２２）。
【００８０】
次に、放送関連情報処理部１２は、記録部１３にＥＭＴデータが記録されているか否かを判定する（ステップＳ２３）。
【００８１】
放送関連情報処理部１２は、ステップＳ２３において、記録部１３にＥＭＴデータが一時的に記録されていると判定した場合（ステップＳ２３のＹＥＳ）、記録部１３に一時的に記録されているＥＭＴのデータからコンテンツの詳細イベント情報を読み込み、当該情報から、ＥＭＴ番組表を生成する（ステップＳ２４）。放送関連情報処理部１２は、ステップＳ２３において、記録部１３にＥＭＴデータが一時的に記録されていないと判定した場合（ステップＳ２３のＮＯ）、処理を終了する。
【００８２】
ステップＳ２４の次の工程として、放送関連情報処理部１２は、生成したＥＭＴ番組表を、ステップＳ２１で表示したＥＩＴ番組表に重畳して表示するように、映像信号／ＯＳＤ合成部５、及び映像出力部７に指示する（ステップＳ２５）。
【００８３】
（実施形態２の具体例）
以下で、受信装置２１による受信方法における映像出力部７による表示の具体例を、図１１を参照して説明する。図１１は、映像出力部７による、複数のチャンネルで放送されているイベント（当該例ではオリンピック中継）での放送スケジュールの表示例を説明するための図である。
【００８４】
放送関連情報処理部１２は、ステップＳ２１において、読み込んだＥＩＴの番組情報から、ＥＩＴ番組表を生成し、ステップＳ２２において、当該ＥＩＴ番組表（図１１の網掛け以外の部分）を表示するように、映像信号／ＯＳＤ合成部５、及び映像出力部７に指示する。
【００８５】
また、放送関連情報処理部１２は、ステップＳ２４において、読み込んだＥＭＴデータから、ＥＭＴ番組表を生成し、ステップＳ２５において、当該ＥＭＴ番組表（図１１の網掛け部分）を、ステップＳ２１で表示したＥＩＴ番組表に重畳して表示するように、映像信号／ＯＳＤ合成部５、及び映像出力部７に指示する。
【００８６】
本具体例において映像出力部７が表示した画像において、重畳されたＥＭＴ番組表は、アイコン又は吹き出し（クリック前は折り畳まれており、クリック後に展開される）であってもよい。
【００８７】
また、本具体例の構成を採用することにより、オリンピック等のコンテンツが複数のチャンネルで放送されている場合、視聴者は、長時間放送されている当該コンテンツの番組と、当該番組を放送しているチャンネルとは別のチャンネルで放送されている当該コンテンツの個々の競技又はコーナーと、を同時に録画予約することも可能である。
【００８８】
また、個々の競技又はコーナーに対して個別にＩＤ（上述の<SubID>のタグで指定される）が設けられているため、個々の競技又はコーナーについての情報の更新及び処理が容易に行える。
【００８９】
（実施形態２のまとめ）
以上のように、本実施形態に係る受信装置２１は、コンテンツの電子番組表（ＥＩＴ番組表）に、提示用画像（ＥＭＴ番組表）を重畳して表示する。これにより、視聴者は、電子番組表に表示された個々の競技又はコーナーの情報を確認するのと同時に、個々の競技又はコーナーの詳細な情報を得ることができる。
【００９０】
〔実施形態３〕
本発明の実施形態３について、図１２に基づいて説明すれば、以下のとおりである。なお、説明の便宜上、実施形態１及び２にて説明した部材と同じ機能を有する部材については、同じ符号を付記し、その説明を省略する。
【００９１】
（送受信システム３０）
本実施形態に係る送受信システム３０について、図１２を参照して説明する。図１２は、本実施形態に係る送受信システム３０の構成を示すブロック図である。図１２が示すように、送受信システム３０は、実施形態１に係る受信装置３又は実施形態２に係る受信装置２１と、送出装置３１とを備えている。なお、受信装置３及び受信装置２１についての詳細な図示及び説明は省略する。
【００９２】
（送出装置３１）
以下で、送出装置３１について詳細に説明する。送出装置３１は、ＳＩ生成部３２、ＡＶエンコード部３３、多重化処理部３４、暗号化処理部３５、変調処理部３６（部材番号３２〜３６の部材が、請求項における生成部に相当する）、及び送信部３７（請求項における送出部）を備えている。
【００９３】
ＳＩ生成部３２は、外部から、コンテンツの詳細イベント情報を取得し、当該詳細イベント情報を含むメタデータ（ＳＩ（Service Information））を生成する。
【００９４】
ＡＶエンコード部３３は、外部から、映像データ及び音声データをそれぞれ取得し、取得した映像データ及び音声データをそれぞれ符号化する。
【００９５】
多重化処理部３４は、ＳＩ生成部３２が生成したメタデータとＡＶエンコード部３３が符号化した映像データ及び音声データとを多重化処理することにより、多重化データを生成する。
【００９６】
暗号化処理部３５は、多重化処理部３４が多重化した多重化データを暗号化することにより、暗号化データを生成する。
【００９７】
変調処理部３６は、暗号化処理部３５が暗号化した暗号化データを変調処理することにより、放送信号（請求項におけるデータストリーム）を生成する。
【００９８】
送信部３７は、変調処理部３６が変調処理した放送信号（請求項におけるデータストリーム）を、受信装置３又は受信装置２１に送信する。
【００９９】
（送出装置３１による送出方法）
本実施形態に係る送出装置３１により実行される送出方法の流れを、図１３を参照して説明する。図１３は、送出方法の流れを示すフローチャートである。
【０１００】
まず、ＳＩ生成部３２は、外部から、コンテンツの詳細イベント情報を取得し、当該詳細イベント情報を含むメタデータ（ＳＩ（Service Information））を生成する（ステップＳ３０）。
【０１０１】
なお、上記のコンテンツは、例えば、複数の競技又は複数のコーナーを含んでおり、当該複数の競技又は複数のコーナーがそれぞれ複数の番組で放送されているコンテンツであり得る。当該コンテンツの例として、オリンピックの中継又は２４時間放送の番組等の長時間放送番組等が挙げられる。
【０１０２】
また、上記の詳細イベント情報は、コンテンツの個々の競技又は個々のコーナーについての詳細な番組情報、又は、当該番組情報の更新後の差分情報であり得る。詳細イベント情報の例として、上記コンテンツのサービスＩＤ、イベントＩＤ、サブイベントＩＤ、詳細イベント名、開始時刻、終了時刻、及び放送時間の長さ等が挙げられる。
【０１０３】
ステップＳ３０の次の工程として、ＡＶエンコード部３３は、外部から、映像データ及び音声データをそれぞれ取得し、取得した映像データ及び音声データをそれぞれ符号化する（ステップＳ３１）。
【０１０４】
次に、多重化処理部３４は、ＳＩ生成部３２が生成したメタデータとＡＶエンコード部３３が符号化した映像データ及び音声データとを多重化処理することにより、多重化データを生成する（ステップＳ３２）。
【０１０５】
次に、暗号化処理部３５は、多重化処理部３４が多重化した多重化データを暗号化することにより、暗号化データを生成する（ステップＳ３３）。
【０１０６】
次に、変調処理部３６は、暗号化処理部３５が暗号化した暗号化データを変調処理することにより、放送信号（請求項におけるデータストリーム）を生成する（ステップＳ３４）。
【０１０７】
次に、送信部３７は、変調処理部３６が変調処理した放送信号（請求項におけるデータストリーム）を、受信装置３又は受信装置２１に送信する（ステップＳ３５）。
【０１０８】
そして、送信部３７が送信した放送信号を受信した受信装置３又は受信装置２１は、実施形態１又は実施形態２で説明した受信方法を実行する。
【０１０９】
（実施形態３のまとめ）
以上のように、本実施形態に係る送出装置３１は、コンテンツの詳細イベント情報を含ませたメタデータと、コンテンツの映像データとを含むデータストリームを生成し、当該データストリームを送出する。これにより、コンテンツが複数の競技又は複数のコーナーを含んでおり、当該複数の競技又は複数のコーナーがそれぞれ複数の番組で放送されている場合でも、送出したデータストリームを受信した受信装置において、個々の競技又はコーナーについて、詳細な情報を取得することができる。
【０１１０】
また、本実施形態に係る送出装置３１と、実施形態１に係る受信装置３又は実施形態２に係る受信装置２１とを含む送受信システム３０は、送出装置３１が、メタデータに、コンテンツの詳細イベント情報を含ませ、受信装置３又は受信装置２１が、送出装置が送信したメタデータからコンテンツの詳細イベント情報を抽出し、当該詳細イベント情報を参照して、ユーザへの提示用画像を生成する。これにより、当該システムにおいて、実施形態１に係る受信装置３又は実施形態２に係る受信装置２１と、実施形態３に係る送出装置３１とが、上述の各効果を奏する。
【０１１１】
〔ソフトウェアによる実現例〕
受信装置３、受信装置２１及び送出装置３１の制御ブロック（特に、受信装置３及び受信装置２１の放送関連情報処理部１２、並びに送出装置３１のＳＩ生成部３２）は、それぞれ、集積回路（ＩＣチップ）等に形成された論理回路（ハードウェア）によって実現してもよいし、ＣＰＵ（Central Processing Unit）を用いてソフトウェアによって実現してもよい。
【０１１２】
後者の場合、受信装置３、受信装置２１及び送出装置３１は、それぞれ、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１３】
〔まとめ〕
本発明の態様１に係る送出装置（３１）は、コンテンツの映像データと、メタデータとを含むデータストリームを生成する生成部（ＳＩ生成部３２、ＡＶエンコード部３３、多重化処理部３４、暗号化処理部３５及び変調処理部３６）と、上記生成部が生成したデータストリームを送出する送出部（送信部３７）と、を備えた送出装置であって、上記生成部は、上記メタデータに、上記コンテンツの詳細イベント情報を含ませる。
【０１１４】
上記の構成によれば、コンテンツが複数の競技又は複数のコーナーを含んでおり、当該複数の競技又は複数のコーナーがそれぞれ複数の番組で放送されている場合でも、送出装置が送出したデータストリームを受信した受信装置において、個々の競技又はコーナーについて、詳細な情報を取得することができる。
【０１１５】
本発明の態様２に係る送出装置（３１）は、上記態様１において、上記生成部は、上記メタデータにおけるEvent Message Tableに、上記コンテンツの詳細イベント情報を含ませてもよい。
【０１１６】
上記の構成によれば、送出装置が送出したデータストリームを受信した受信装置において、インターネットを介さずに、個々の競技又はコーナーについて、詳細な情報を取得することができる。
【０１１７】
本発明の態様３に係る送出装置（３１）は、上記態様１又は２において、上記詳細イベント情報には、上記コンテンツのサービスＩＤ、イベントＩＤ，サブイベントＩＤ、詳細イベント名、開始時刻、終了時刻、及び放送時間の長さの少なくとも何れかの情報が含まれていてもよい。
【０１１８】
上記の構成によれば、送出装置が送出したデータストリームを受信した受信装置において、上記の各情報を活用することにより、視聴者が個々の競技又はコーナーを視聴しやすくなる。
【０１１９】
本発明の態様４に係る受信装置（３及び２１）は、コンテンツの映像データと、メタデータとを含むデータストリームを受信する受信部（チューナ９）と、上記メタデータから上記コンテンツの詳細イベント情報を抽出する抽出部（映像／音声／データ放送分離部１０）と、上記抽出部が抽出した詳細イベント情報を参照して、ユーザへの提示用画像を生成する画像生成部（放送関連情報処理部１２）と、を備えている。
【０１２０】
上記の構成によれば、コンテンツが複数の競技又は複数のコーナーを含んでおり、当該複数の競技又は複数のコーナーがそれぞれ複数の番組で放送されている場合でも、個々の競技又はコーナーについて、詳細な情報を取得することができる。
【０１２１】
本発明の態様５に係る受信装置（３及び２１）は、上記態様４において、上記抽出部は、上記メタデータにおけるEvent Message Tableから、上記コンテンツの詳細イベント情報を抽出してもよい。
【０１２２】
上記の構成によれば、インターネットを介さずに、個々の競技又はコーナーについて、詳細な情報を取得することができる。
【０１２３】
本発明の態様６に係る受信装置（３及び２１）は、上記態様４又は５において、上記詳細イベント情報には、上記コンテンツのサービスＩＤ、イベントＩＤ、サブイベントＩＤ、詳細イベント名、開始時刻、終了時刻、及び放送時間の長さの少なくとも何れかの情報が含まれていてもよい。
【０１２４】
上記の構成によれば、上記の各情報を活用することにより、視聴者が個々の競技又はコーナーを視聴しやすくなる。
【０１２５】
本発明の態様７に係るテレビジョン受像機（１及び２０）は、態様４〜６の何れか１つの受信装置と、上記提示用画像を表示する表示部と、を備えている。
【０１２６】
上記の構成によれば、態様４〜６の受信装置と同様の効果を奏する。
【０１２７】
本発明の態様８に係るテレビジョン受像機（２０）は、上記態様７において、上記表示部は、上記コンテンツの電子番組表に、上記提示用画像を重畳して表示してもよい。
【０１２８】
上記の構成によれば、視聴者は、電子番組表に表示された個々の競技又はコーナーの情報を確認するのと同時に、個々の競技又はコーナーの詳細な情報を得ることができる。
【０１２９】
本発明の態様９に係る送出方法は、コンテンツの映像データと、メタデータとを含むデータストリームを生成する生成工程と、上記生成工程で生成したデータストリームを送出する送出工程とを含む、送出装置による送出方法であって、上記生成工程では、上記メタデータに、上記コンテンツの詳細イベント情報を含ませる。
【０１３０】
上記の構成によれば、態様１の送信装置と同様の効果を奏する。
【０１３１】
本発明の態様１０に係る受信方法は、受信装置による受信方法であって、コンテンツの映像データと、メタデータとを含むデータストリームを受信する受信工程と、上記メタデータから上記コンテンツの詳細イベント情報を抽出する抽出工程と、上記抽出工程で抽出した詳細イベント情報を参照して、ユーザへの提示用画像を生成する画像生成工程と、を含む。
【０１３２】
上記の構成によれば、態様４の受信装置と同様の効果を奏する。
【０１３３】
本発明の態様１１に係る送受信システム（３０）は、コンテンツの映像データ、及びメタデータを含むデータストリームを生成する生成部（ＳＩ生成部３２、ＡＶエンコード部３３、多重化処理部３４、暗号化処理部３５及び変調処理部３６）、並びに上記生成部が生成したデータストリームを送出する送出部（送信部３７）、を備えた送出装置（３１）と、上記送出装置が送出した上記データストリームを受信する受信部（チューナ９）を備えた受信装置（３及び２１）と、を含む送受信システムであって、上記生成部は、上記メタデータに、上記コンテンツの詳細イベント情報を含ませ、上記受信装置は、上記メタデータから上記コンテンツの詳細イベント情報を抽出する抽出部（映像／音声／データ放送分離部１０）と、上記抽出部が抽出した画像生成部（放送関連情報処理部１２）とをさらに備えている。
【０１３４】
上記の構成によれば、コンテンツが複数の競技又は複数のコーナーを含んでおり、当該複数の競技又は複数のコーナーがそれぞれ複数の番組で放送されている場合でも、送出装置が送出したデータストリームを受信した受信装置において、個々の競技又はコーナーについて、詳細な情報を取得することができる。
【０１３５】
本発明の各態様に係る送出装置は、コンピュータによって実現してもよく、この場合には、コンピュータを上記送出装置が備える各部（ソフトウェア要素）として動作させることにより上記送出装置をコンピュータにて実現させる送出装置の制御プログラム、及びそれを記録したコンピュータ読み取り可能な記録媒体も、本発明の範疇に入る。
【０１３６】
また、本発明の各態様に係る受信装置は、コンピュータによって実現してもよく、この場合には、コンピュータを上記受信装置が備える各部（ソフトウェア要素）として動作させることにより上記受信装置をコンピュータにて実現させる受信装置の制御プログラム、及びそれを記録したコンピュータ読み取り可能な記録媒体も、本発明の範疇に入る。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３８】
１、２０  テレビジョン受像機
２  アンテナ
３、２１  受信装置
４  映像／音声デコード部
５  映像信号／ＯＳＤ合成部
６  音声信号合成部
７  映像出力部
８  音声出力部
９  チューナ
１０  映像／音声／データ放送分離部
１１  操作受付部
１２  放送関連情報処理部
１３  記録部
１４  リモコン
２２  ＥＩＴ取得部
３０  送受信システム
３１  送出装置
３２  ＳＩ生成部
３３  ＡＶエンコード部
３４  多重化処理部
３５  暗号化処理部
３６  変調処理部
３７  送信部
【図１】
2018129704.tif 000003
【図２】
2018129704.tif 000004
【図３】
2018129704.tif 000005
【図４】
2018129704.tif 000006
【図５】
2018129704.tif 000007
【図６】
2018129704.tif 000008
【図７】
2018129704.tif 000009
【図８】
2018129704.tif 000010
【図９】
2018129704.tif 000011
【図１０】
2018129704.tif 000012
【図１１】
2018129704.tif 000013
【図１２】
2018129704.tif 000014
【図１３】
2018129704.tif 000015